(57)【要約】    【課題】  本発明は、電気製品を遠隔操作するための電子メールに記載する文字列を短縮することができると共に、電子メールの記載不備に対応することができる遠隔操作制御装置を提供する。    【解決手段】  ホーム端末２は、メール送受信部３２と、ネット家電操作部３６と、メール補助部３９と、記憶装置４５とを備え、メール送受信部３２は操作端末から電気製品を操作するための操作情報を含むメールを受信し、ネット家電操作部３６は受信したメールに含まれた操作情報に基づいて電気製品を操作し、メール補助部３９は受信したメールに含まれた操作情報が不十分であるときに当該操作情報を記憶装置４５に記憶された設定ファイルに基づいて補う。【選択図】      図５
2006319475.tif 000002
【特許請求の範囲】
【請求項１】
ネットワークを介して端末装置及び電気製品に接続され、前記端末装置から送信されたメールに基づいて前記電気製品を操作する遠隔操作制御装置において、前記端末装置から前記電気製品を操作するための操作情報を含むメールを受信する受信手段と、前記受信したメールに含まれた操作情報に基づいて前記電気製品を操作する操作手段と、前記電気製品を操作するための予め設定された設定情報を記憶する記憶手段と、前記受信したメールに含まれた操作情報が不十分であるか否かを判別する判別手段と、前記受信したメールに含まれた操作情報が不十分であるときに、当該操作情報を前記記憶手段に記憶された設定情報に基づいて補う補助手段とを備えることを特徴とする遠隔操作装置。
【請求項２】
前記受信したメールのメールアドレスを取得する取得手段を備え、前記記憶手段は、前記メールアドレス毎に前記設定情報を記憶し、前記補助手段は、前記取得したメールアドレスに対応する設定情報に基づいて前記操作情報を補うことを特徴とする請求項１記載の遠隔操作装置。
【請求項３】
前記設定情報は、前記操作可能な電気製品の情報を含むことを特徴とする請求項１又は２記載の遠隔操作装置。
【請求項４】
前記設定情報は、前記電気製品の操作内容の初期値を含むことを特徴とする請求項１乃至３のいずれか１項に記載の遠隔操作装置。
【請求項５】
前記設定情報を設定する設定手段を備えることを特徴とする請求項１乃至４のいずれか１項に記載の遠隔操作装置。
【請求項６】
前記操作手段により前記受信したメールに含まれた操作情報に基づいて前記電気製品を操作したときに、操作履歴を記憶する操作履歴記憶手段と、前記記憶された操作履歴に基づいて前記設定情報を更新する更新手段とを備えることを特徴とする請求項１乃至５のいずれか１項に記載の遠隔操作装置。
【請求項７】
前記操作手段により前記受信したメールに含まれた操作情報に基づいて前記電気製品を操作したときに、前記操作手段による操作の内容を前記端末装置に通知する通知手段を備えることを特徴とする請求項１乃至６のいずれか１項に記載の遠隔操作装置。
【請求項８】
ネットワークを介して端末装置及び電気製品に接続され、前記端末装置から送信されたメールに基づいて前記電気製品を操作する遠隔操作制御装置の遠隔操作制御方法において、前記端末装置から前記電気製品を操作するための操作情報を含むメールを受信する受信ステップと、前記受信したメールに含まれた操作情報に基づいて前記電気製品を操作する操作ステップと、前記電気製品を操作するための予め設定された設定情報を記憶手段に記憶する記憶ステップと、前記受信したメールに含まれた操作情報が不十分であるか否かを判別する判別ステップと、前記受信したメールに含まれた操作情報が不十分であるときに、当該操作情報を前記記憶手段に記憶された設定情報に基づいて補う補助ステップとを備えることを特徴とする遠隔操作方法。
【請求項９】
前記受信したメールのメールアドレスを取得する取得ステップを備え、前記記憶手段は、前記メールアドレス毎に前記設定情報を記憶し、前記補助ステップは、前記取得したメールアドレスに対応する設定情報に基づいて前記操作情報を補うことを特徴とする請求項８記載の遠隔操作方法。
【請求項１０】
前記設定情報は、前記操作可能な電気製品の情報を含むことを特徴とする請求項８又は９記載の遠隔操作方法。
【請求項１１】
前記設定情報は、前記電気製品の操作内容の初期値を含むことを特徴とする請求項８乃至１０のいずれか１項に記載の遠隔操作方法。
【請求項１２】
前記設定情報を設定する設定ステップを備えることを特徴とする請求項８乃至１１のいずれか１項に記載の遠隔操作方法。
【請求項１３】
前記操作ステップにより前記受信したメールに含まれた操作情報に基づいて前記電気製品を操作したときに、操作履歴を前記記憶手段に記憶する操作履歴記憶ステップと、前記記憶された操作履歴に基づいて前記設定情報を更新する更新ステップとを備えることを特徴とする請求項８乃至１２のいずれか１項に記載の遠隔操作方法。
【請求項１４】
前記操作ステップにより前記受信したメールに含まれた操作情報に基づいて前記電気製品を操作したときに、前記操作ステップによる操作の内容を前記端末装置に通知する通知ステップを備えることを特徴とする請求項８乃至１３のいずれか１項に記載の遠隔操作方法。
【請求項１５】
端末装置及び電気製品と、ネットワークを介して前記端末装置及び前記電気製品に接続され、前記端末装置から送信されたメールに基づいて前記電気製品を操作する遠隔操作制御装置とを備える遠隔操作システムにおいて、
前記端末装置は、前記遠隔操作手段に前記電気製品を操作するための操作情報を含むメールを送信する送信手段を備え、
前記遠隔操作装置は、前記端末装置により送信されたメールを受信する受信手段と、前記受信したメールに含まれた操作情報に基づいて前記電気製品を操作する操作手段と、前記電気製品を操作するための予め設定された設定情報を記憶する記憶手段と、前記受信したメールに含まれた操作情報が不十分であるか否かを判別する判別手段と、前記受信したメールに含まれた操作情報が不十分であるときに、当該操作情報を前記記憶手段に記憶された設定情報に基づいて補う補助手段とを備えることを特徴とする遠隔操作システム。
【請求項１６】
ネットワークを介して端末装置及び電気製品に接続され、前記端末装置から送信されたメールに基づいて前記電気製品を操作する遠隔操作制御装置で実行されるプログラムにおいて、前記端末装置から前記電気製品を操作するための操作情報を含むメールを受信する受信モジュールと、前記受信したメールに含まれた操作情報に基づいて前記電気製品を操作する操作モジュールと、前記電気製品を操作するための予め設定された設定情報を記憶手段に記憶する記憶モジュールと、前記受信したメールに含まれた操作情報が不十分であるか否かを判別する判別モジュールと、前記受信したメールに含まれた操作情報が不十分であるときに、当該操作情報を前記記憶手段に記憶された設定情報に基づいて補う補助モジュールとを備えることを特徴とするプログラム。
【発明の詳細な説明】
【技術分野】
【０００１】
本発明は、遠隔操作制御装置及び方法、遠隔操作システム、並びにプログラムに関し、特に、電子メールを利用してネットワークに接続された電気製品を操作する遠隔操作制御装置及び方法、遠隔操作システム、並びにプログラムに関する。
【背景技術】
【０００２】
従来より、電子メールを利用してネットワークに接続された電気製品を遠隔操作する遠隔操作システムが提案されている（例えば、特許文献１参照）。この遠隔操作システムは、ホーム端末と、使用者が操作する操作端末と、電気製品とを備え、これらはネットワークを介して互いに接続されている。使用者は、操作端末から操作内容を記載した電子メールをホーム端末のメールアドレスに送信する。ホーム端末は、電子メールの受信を定期的に行い、操作端末から受信した電子メールの内容を解析し、解析した内容が遠隔操作に関するものであれば電子メールに記載された操作内容に従って電気製品を操作する。
【０００３】
上記遠隔操作システムは、電子メールを利用することにより、直接電気製品にアクセスすることなく遠隔操作を行えるので、安全性が高い。また、ホーム端末が遠隔操作を集中管理するので、遠隔操作システムの導入による個々の電気製品のコストアップを防止することができる。更に、電子メールを利用するので、操作端末の処理負担も軽くなる。
【特許文献１】特開２０００−０５９８６７号公報
【発明の開示】
【発明が解決しようとする課題】
【０００４】
しかしながら、上記特許文献１記載の遠隔操作システムにおいて、電気製品を操作するためには、操作すべき電気製品を識別する情報や、操作内容等のキーワードを電子メールに記載する必要があり、使用者が操作端末を用いて長い文字列を入力する必要がある。
【０００５】
また、電子メールに記載したキーワードが間違っている場合や、電子メールに記載すべき必要事項が記載されていない場合等には、ホーム端末は電子メールの内容を理解することができず、電気製品を遠隔操作することができない。
【０００６】
本発明の目的は、電気製品を遠隔操作するための電子メールに記載する文字列を短縮することができると共に、電子メールの記載不備に対応することができる遠隔操作制御装置及び方法、遠隔操作システム、並びにプログラムを提供することにある。
【課題を解決するための手段】
【０００７】
上述の目的を達成するために、請求項１記載の遠隔操作装置は、ネットワークを介して端末装置及び電気製品に接続され、前記端末装置から送信されたメールに基づいて前記電気製品を操作する遠隔操作制御装置において、前記端末装置から前記電気製品を操作するための操作情報を含むメールを受信する受信手段と、前記受信したメールに含まれた操作情報に基づいて前記電気製品を操作する操作手段と、前記電気製品を操作するための予め設定された設定情報を記憶する記憶手段と、前記受信したメールに含まれた操作情報が不十分であるか否かを判別する判別手段と、前記受信したメールに含まれた操作情報が不十分であるときに、当該操作情報を前記記憶手段に記憶された設定情報に基づいて補う補助手段とを備えることを特徴とする。
【０００８】
上述の目的を達成するために、請求項８記載の遠隔操作方法は、ネットワークを介して端末装置及び電気製品に接続され、前記端末装置から送信されたメールに基づいて前記電気製品を操作する遠隔操作制御装置の遠隔操作制御方法において、前記端末装置から前記電気製品を操作するための操作情報を含むメールを受信する受信ステップと、前記受信したメールに含まれた操作情報に基づいて前記電気製品を操作する操作ステップと、前記電気製品を操作するための予め設定された設定情報を記憶手段に記憶する記憶ステップと、前記受信したメールに含まれた操作情報が不十分であるか否かを判別する判別ステップと、前記受信したメールに含まれた操作情報が不十分であるときに、当該操作情報を前記記憶手段に記憶された設定情報に基づいて補う補助ステップとを備えることを特徴とする。
【０００９】
上述の目的を達成するために、請求項１５記載の遠隔操作システムは、端末装置及び電気製品と、ネットワークを介して前記端末装置及び前記電気製品に接続され、前記端末装置から送信されたメールに基づいて前記電気製品を操作する遠隔操作制御装置とを備える遠隔操作システムにおいて、前記端末装置は、前記遠隔操作手段に前記電気製品を操作するための操作情報を含むメールを送信する送信手段を備え、前記遠隔操作装置は、前記端末装置により送信されたメールを受信する受信手段と、前記受信したメールに含まれた操作情報に基づいて前記電気製品を操作する操作手段と、前記電気製品を操作するための予め設定された設定情報を記憶する記憶手段と、前記受信したメールに含まれた操作情報が不十分であるか否かを判別する判別手段と、前記受信したメールに含まれた操作情報が不十分であるときに、当該操作情報を前記記憶手段に記憶された設定情報に基づいて補う補助手段とを備えることを特徴とする。
【００１０】
上述の目的を達成するために、請求項１６記載のプログラムは、ネットワークを介して端末装置及び電気製品に接続され、前記端末装置から送信されたメールに基づいて前記電気製品を操作する遠隔操作制御装置で実行されるプログラムにおいて、前記端末装置から前記電気製品を操作するための操作情報を含むメールを受信する受信モジュールと、前記受信したメールに含まれた操作情報に基づいて前記電気製品を操作する操作モジュールと、前記電気製品を操作するための予め設定された設定情報を記憶手段に記憶する記憶モジュールと、前記受信したメールに含まれた操作情報が不十分であるか否かを判別する判別モジュールと、前記受信したメールに含まれた操作情報が不十分であるときに、当該操作情報を前記記憶手段に記憶された設定情報に基づいて補う補助モジュールとを備えることを特徴とする。
【発明の効果】
【００１１】
本発明によれば、端末装置から受信したメールに含まれた操作情報が不十分であるときに、当該操作情報を記憶手段に記憶された設定情報に基づいて補うので、電気製品を遠隔操作するための電子メールに記載する文字列を短縮することができると共に、電子メールの記載不備に対応することができる。
【発明を実施するための最良の形態】
【００１２】
以下、本発明の実施の形態を図面を参照しながら詳述する。
【００１３】
図１は、本発明の実施の形態に係る遠隔操作システムの構成を示す全体図である。
【００１４】
図１において、本発明の実施の形態に係る遠隔操作システムは、ホーム端末２（遠隔操作制御装置）と、ルータ３と、風呂４と、ビデオＡ５，Ｂ６，Ｃ７と、エアコンＡ８，Ｂ９，Ｃ１０とを備え、これらはホームネットワーク１を介して互いに接続されている。
【００１５】
遠隔操作システムは、また、ルータ３に接続されたＩＳＰ（Internet Service Provider）１１と、ＩＳＰ１７〜２０とを備え、これらはインターネット１２を介して互いに接続されている。
【００１６】
遠隔操作システムは、更に、操作端末Ａ１３，Ｂ１４，Ｃ１５，Ｄ１６（端末装置）を備え、これらは夫々ＩＳＰ１７〜２０を介してインターネット１２に接続されている。
【００１７】
ホームネットワーク１は、有線、無線ＬＡＮ、又はブルートゥース等から構成される。ホーム端末２は、ＰＣ又はホームコントローラ等から構成される。ホーム端末２は、ルータ３を経由して、ＩＳＰ１１のメールサーバより電子メールを定期的に送受信する。
【００１８】
風呂４、ビデオＡ５，Ｂ６，Ｃ７、及びエアコンＡ８，Ｂ９，Ｃ１０は、ホームネットワーク１を介して電子データの送受信が可能な電気製品（以下、「ネット家電」という。）である。ホーム端末２は、ホームネットワーク１に接続されているネット家電を操作する。また、ホーム端末２は、定期的に各ネット家電のホームネットワーク１への接続状態を調べ、ホームネットワーク１に新たに接続されたネット家電を見つけると、当該ネット家電を操作するために必要な情報を当該ネット家電から取得する。
【００１９】
ＩＳＰ１１は、インターネット１２を介して電子メールの送受信を行う。操作端末Ａ１３，Ｂ１４，Ｃ１５，Ｄ１６は、インターネット１２を介して、それぞれの操作端末に固有のメールアドレスを有する電子メールの送受信を行う。
【００２０】
操作端末Ａ１３，Ｂ１４，Ｃ１５，Ｄ１６は、遠隔操作を行うときは、ホーム端末２にネット家電を操作するための電子メールを送信する。ホーム端末２は、この電子メールに記載された内容を解析して、ネット家電を操作する。
【００２１】
図２は、図１におけるホーム端末２の構成を示すブロック図である。
【００２２】
図２において、ホーム端末２は、制御装置３１と、記憶装置４５（記憶手段）と、情報を表示する表示器４２と、使用者が操作する操作キー４３とを備える。制御装置３１は、マイクロプロセッサ等から構成される。記憶装置４５は、ハードディスク等から構成される。
【００２３】
制御装置３１は、メール送受信部３２（受信手段）と、メール解析部３３と、メールアドレス解析部３４と、ネット家電操作変換部３５と、ネット家電操作部３６（操作手段）と、ホームネットワーク接続部３７と、設定ファイル作成部３８と、メール補助部３９（判別手段、補助手段）と、操作履歴更新部４０と、設定ファイル更新部４１と、操作応答メール送信部４４とを備える。
【００２４】
記憶装置４５は、メール記憶領域４６と、設定ファイルＡ４７，Ｂ４８，Ｃ４９，Ｄ５０（設定情報）と、操作履歴Ａ５１，Ｂ５２，Ｃ５３，Ｄ５４とを備える。
【００２５】
メール送受信部３２は、電子メールの送受信を定期的に行い、送受信した電子メールをメール記憶領域４６に記憶する。メール解析部３３は、メール送受信部３２が受信した電子メールの件名や内容等に基づいて、受信した電子メールが遠隔操作のための電子メールであるか否かを判別する。すべての遠隔操作や問合せ等の電子メールには暗証コードが添付され、使用者以外の他人が遠隔操作や問合せ等を行うことができないように保護されている。
【００２６】
メールアドレス解析部３４は、メール送受信部３２が受信した電子メールの送信元のメールアドレスを解析し、そのメールアドレスを他の処理部に伝達する。ネット家電操作変換部３５は、遠隔操作のための電子メールに記載された内容に基づいて、ネット家電を操作するための操作情報を作成する。ネット家電操作部３６は、ネット家電操作変換部３５により作成された操作情報に従って、ネット家電を操作する。
【００２７】
ホームネットワーク接続部３７は、ホームネットワークに接続するための処理を行う。設定ファイル作成部３８は、使用者が表示器４２を見ながら操作キー４３を用いて入力した情報に基づいて設定ファイルＡ４７，Ｂ４８，Ｃ４９，Ｄ５０を作成する。
【００２８】
設定ファイルＡ４７，Ｂ４８，Ｃ４９，Ｄ５０は、それぞれ異なるメールアドレスに対応している。また、設定ファイルＡ４７，Ｂ４８，Ｃ４９，Ｄ５０は、対応する使用者が操作可能なネット家電の情報と、そのネット家電の操作内容の初期値とを含む。
【００２９】
メール補助部３９は、ネット家電操作変換部３５により作成された操作情報が不十分であるときに、記憶装置４５に記憶された設定ファイルＡ４７，Ｂ４８，Ｃ４９，Ｄ５０のうち、メールアドレス解析部３４により解析されたメールアドレスに対応した設定ファイルの内容に基づいて、操作情報を補う。
【００３０】
操作履歴更新部４０は、操作端末Ａ１３，Ｂ１４，Ｃ１５，Ｄ１６により遠隔操作が行われたときに、対応する操作履歴Ａ５１，Ｂ５２，Ｃ５３，Ｄ５４を更新する。操作履歴Ａ５１，Ｂ５２，Ｃ５３，Ｄ５４は、それぞれ異なるメールアドレスに対応している。
【００３１】
設定ファイル更新部４１は、操作履歴Ａ５１，Ｂ５２，Ｃ５３，Ｄ５４に基づいて、対応する設定ファイルＡ４７，Ｂ４８，Ｃ４９，Ｄ５０を夫々自動更新する。操作応答メール送信部４４は、遠隔操作を完了した時に、実際に行われた操作内容を通知する電子メールを使用者の操作端末に送信する。このメールを受信した使用者は、実際に行われた操作内容を確認することができる。
【００３２】
図３は、図１における操作端末Ａ１３の内部構成を示すブロック図である。
【００３３】
操作端末Ａ１３，Ｂ１４，Ｃ１５，Ｄ１６の内部構成は夫々基本的に同じであり、以下、操作端末Ａ１３に着目してその内部構成を説明する。
【００３４】
図３において、操作端末Ａ１３は、制御装置６１と、記憶装置６７と、情報を表示する表示器６５と、使用者が操作する操作キー６６とを夫々備える。制御装置６１は、マイクロプロセッサ等から構成される。記憶装置６７は、フラッシュＲＯＭ等から構成される。
【００３５】
制御装置６１は、メール送受信部６２と、メール作成部６３と、ＩＳＰ接続部６４とを備える。記憶装置６７は、メール記憶領域を備える。
【００３６】
メール送受信部６２は、電子メールの送受信を行い、送受信した電子メールをメール記憶領域６８に記憶する。メール作成部６３は、使用者が表示器６５を見ながら操作キー６６を用いて入力した情報に基づいて電子メールを作成する。ＩＳＰ接続部６４は、ＩＳＰ１１に接続するための処理を行う。
【００３７】
図４は、図２における設定ファイルＡ４７，Ｂ４８，Ｃ４９，Ｄ５０の内容の一例を示す図である。
【００３８】
図４において、設定ファイルＡ４７，Ｂ４８，Ｃ４９，Ｄ５０は、夫々、対応する使用者のメールアドレスと、当該使用者が操作可能なネット家電の情報と、そのネット家電の操作内容の初期値とを含む。
【００３９】
本図では、ネット家電を遠隔操作する４人の使用者に対応する４つの設定ファイルＡ４７，Ｂ４８，Ｃ４９，Ｄ５０を示す。
【００４０】
例えば、設定ファイルＡ４７に対応する使用者（以下、「使用者Ａ」という）のメールアドレスは、papa@abc.ne.jp である。使用者Ａが操作可能なネット家電は、ビデオＡ５、エアコンＡ８、及び風呂４である。また、使用者ＡがビデオＡ５を操作する場合の操作内容の初期値は、日付に「今日」、開始時間に「今」、録画時間に「１時間」、チャンネルに「１」、画質に「標準」が設定されている。
【００４１】
使用者Ａが、今から１時間、４チャンネルの番組を標準画質で録画したいときは、操作端末Ａ１３から「ビデオ４チャンネル」と記載された、papa@abc.ne.jp のメールアドレスを有する電子メールをホーム端末２に送信する。
【００４２】
メール送受信部３２は、操作端末Ａ１３から送信された電子メールを受信し、ネット家電操作変換部３５は、当該電子メールに記載された内容に基づいて「ビデオ４チャンネル」の操作情報を作成する。
【００４３】
メール補助部３９は、papa@abc.ne.jp のメールアドレスに対応する設定ファイルＡ４７の情報に基づいてこの操作情報を補充し、ネット家電操作部３６は、補充された操作情報に従って、ビデオＡ５に今から１時間、４チャンネルの番組を標準画質で録画する操作を行う。
【００４４】
なお、設定ファイルに応じて操作可能なネット家電を変更することにより、同一のネット家電を重複して操作するのを防止することができる。
【００４５】
図５は、図２のホーム端末２によって実行される遠隔操作処理の手順を示すフローチャートである。
【００４６】
図５において、メール送受信部３２は、電子メールを受信し、受信した電子メールをメール記憶領域４６に記憶する（ステップＳ７１）。メール解析部３３は、受信した電子メールの件名や内容等に基づいて、受信した電子メールが遠隔操作のための電子メールであるか否かを判別し（ステップＳ７２）、受信した電子メールが遠隔操作のための電子メールでないときは、直ちに本処理を終了する。
【００４７】
ステップＳ７２の判別の結果、受信した電子メールが遠隔操作のための電子メールであるときは、ネット家電操作変換部３５は、遠隔操作のための電子メールに記載された内容に基づいて、ネット家電を操作するための操作情報を作成する（ステップＳ７３）。
【００４８】
次に、メール補助部３９は、ネット家電操作変換部３５により作成された操作情報が不十分であるか否かを判別し（ステップＳ７４）、ネット家電操作変換部３５により作成された操作情報が不十分であるときは、記憶装置４５に記憶された設定ファイルＡ４７，Ｂ４８，Ｃ４９，Ｄ５０のうち、メール送受信部３２が受信した電子メールの送信元のメールアドレスに対応した設定ファイルの内容に基づいて操作情報を補う（ステップＳ７５）。
【００４９】
次に、ネット家電操作部３６は、ネット家電操作変換部３５により作成された操作情報に従って、ネット家電を操作し（ステップＳ７６）、操作履歴更新部４０は、対応する操作履歴を更新する（ステップＳ７７）。設定ファイル更新部４１は、更新された操作履歴に基づいて、対応する設定ファイルを自動更新する（ステップＳ７８）。
【００５０】
次に、操作応答メール送信部４４は、実際に行われた操作内容を通知する電子メールを使用者の操作端末に送信し（ステップＳ７９）、本処理を終了する。
【００５１】
ステップＳ７４の判別の結果、ネット家電操作変換部３５により作成された操作情報が不十分でないときは、ステップ７５で操作情報を補うことなく、ステップＳ７６以降の処理を実行し、本処理を終了する。
【００５２】
図５の処理によれば、ネット家電操作変換部３５により作成された操作情報が不十分であるときは（ステップＳ７４でＹＥＳ）、メール送受信部３２が受信した電子メールの送信元のメールアドレスに対応した設定ファイルの内容に基づいて操作情報を補う（ステップＳ７５）ので、電気製品を遠隔操作するための電子メールに記載する文字列を短縮することができると共に、電子メールの記載不備に対応することができる。
【００５３】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００５４】
この場合、記憶媒体から読み出されたプログラムコード自体が前述した実施の形態の機能を実現することになり、そのプログラムコード及び該プログラムコードを記憶した記憶媒体は本発明を構成することになる。
【００５５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００５６】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００５７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００５８】
【図１】本発明の実施の形態に係る遠隔操作システムの構成を示す全体図である。
【図２】図１におけるホーム端末の構成を示すブロック図である。
【図３】図１における操作端末Ａの内部構成を示すブロック図である。
【図４】図２における設定ファイルＡ，Ｂ，Ｃ，Ｄの内容の一例を示す図である。
【図５】図２のホーム端末によって実行される遠隔操作処理の手順を示すフローチャートである。
【符号の説明】
【００５９】
１  ホームネットワーク
１３〜１６  操作端末Ａ〜Ｄ
３１  制御装置
３２  メール送受信部
３３  メール解析部
３４  メールアドレス解析部
３５  ネット家電操作変換部
３６  ネット家電操作部
３９  メール補助部
４５  記憶装置
４７〜５０  設定ファイルＡ〜Ｄ
【図１】
2006319475.tif 000003
【図２】
2006319475.tif 000004
【図３】
2006319475.tif 000005
【図４】
2006319475.tif 000006
【図５】
2006319475.tif 000007